(57)【特許請求の範囲】
【請求項１】
記録媒体上にインクを吐出する吐出ノズルが開口するノズル領域が設けられた記録ヘッドの回復システムであって、
前記吐出ノズルから強制的に押出されたパージインクを拭き取るワイパーと、
該ワイパーを、前記ノズル領域を含むインク吐出面に沿って往復移動させる駆動機構と、
前記吐出ノズルからのインクの押し出し及び吐出、並びに前記駆動機構の動作を制御する制御部と、
を備え、
前記制御部は、
前記吐出ノズルからインクを強制的に押出して前記ノズル領域に前記パージインクを付着させる第１インク押出動作と、
前記インク吐出面における前記ノズル領域の外側の第１位置に前記ワイパーを圧接させた後、前記ワイパーを前記インク吐出面に圧接させた状態で前記インク吐出面に沿って前記ノズル領域側に向かう第１方向に移動させることにより、前記パージインクを拭き取り、前記ノズル領域に対して前記第１位置とは反対側の第２位置まで前記ワイパーを移動させる第１拭き取り動作と、
前記ノズル領域に対して前記第１位置とは反対側の位置から前記ノズル領域に対して前記第１位置側の位置まで、前記ワイパーを前記インク吐出面に圧接させた状態で前記インク吐出面に沿って移動させる第２拭き取り動作と、
を含む前記記録ヘッドの回復動作を実行可能であり、
前記ワイパーは、前記第１方向に向かって配置される第１拭き取り面と、前記第１方向とは反対の第２方向に向かって配置される第２拭き取り面と、前記第１拭き取り面および前記第２拭き取り面の間に配置される上面と、を含み、
前記第１拭き取り面は、前記第１拭き取り動作において前記ワイパーが前記第１方向に移動する際に前記インク吐出面に接触する第１上端部を含み、
前記第２拭き取り面は、前記第２拭き取り動作において前記ワイパーが前記第２方向に移動する際に前記インク吐出面に接触する第２上端部を含み、
前記上面には、前記第１上端部と前記第２上端部との間に側面視矩形状の凸部が形成されており、前記第１上端部と前記凸部との間に前記第１上端部側から前記第２上端部側に向かって高くなる第１段差部が形成され、
前記第１段差部は、前記第１拭き取り動作において前記ワイパーが前記第１方向に移動する際に前記インク吐出面に接触しないことを特徴とする記録ヘッドの回復システム。
【請求項２】
記録媒体上にインクを吐出する吐出ノズルが開口するノズル領域が設けられた記録ヘッドの回復システムであって、
前記吐出ノズルから強制的に押出されたパージインクを拭き取るワイパーと、
該ワイパーを、前記ノズル領域を含むインク吐出面に沿って往復移動させる駆動機構と、
前記吐出ノズルからのインクの押し出し及び吐出、並びに前記駆動機構の動作を制御する制御部と、
を備え、
前記制御部は、
前記吐出ノズルからインクを強制的に押出して前記ノズル領域に前記パージインクを付着させる第１インク押出動作と、
前記インク吐出面における前記ノズル領域の外側の第１位置に前記ワイパーを圧接させた後、前記ワイパーを前記インク吐出面に圧接させた状態で前記インク吐出面に沿って前記ノズル領域側に向かう第１方向に移動させることにより、前記パージインクを拭き取り、前記ノズル領域に対して前記第１位置とは反対側の第２位置まで前記ワイパーを移動させる第１拭き取り動作と、
前記ノズル領域に対して前記第１位置とは反対側の位置から前記ノズル領域に対して前記第１位置側の位置まで、前記ワイパーを前記インク吐出面に圧接させた状態で前記インク吐出面に沿って移動させる第２拭き取り動作と、
を含む前記記録ヘッドの回復動作を実行可能であり、
前記ワイパーは、前記第１方向に向かって配置される第１拭き取り面と、前記第１方向とは反対の第２方向に向かって配置される第２拭き取り面と、前記第１拭き取り面および前記第２拭き取り面の間に配置される上面と、を含み、
前記第１拭き取り面は、前記第１拭き取り動作において前記ワイパーが前記第１方向に移動する際に前記インク吐出面に接触する第１上端部を含み、
前記第２拭き取り面は、前記第２拭き取り動作において前記ワイパーが前記第２方向に移動する際に前記インク吐出面に接触する第２上端部を含み、
前記上面には、前記第１上端部と前記第２上端部との間に側面視矩形状の凸部が形成されており、前記第１上端部と前記凸部との間に前記第１上端部側から前記第２上端部側に向かって高くなる第１段差部が形成され、前記凸部と前記第２上端部との間に、前記第１上端部側から前記第２上端部側に向かって低くなる第２段差部が形成されていることを特徴とする記録ヘッドの回復システム。
【請求項３】
前記第２段差部は、前記第２拭き取り動作において前記ワイパーが前記第２方向に移動する際に前記インク吐出面に接触しないことを特徴とする請求項２に記載の記録ヘッドの回復システム。
【請求項４】
前記凸部は、前記第２拭き取り面と面一に形成されていることを特徴とする請求項１記載の記録ヘッドの回復システム。
【請求項５】
前記制御部は、
前記第１拭き取り動作の実行後、前記吐出ノズルからインクを強制的に押出して前記ノズル領域に前記パージインクを付着させる第２インク押出動作を実行するとともに、
前記第２拭き取り動作時に、前記ワイパーを前記インク吐出面に圧接させた状態で前記インク吐出面に沿って前記第２方向に移動させることにより、前記第２インク押出動作時に押出された前記パージインクを拭き取ることを特徴とする請求項１〜４のいずれか１項に記載の記録ヘッドの回復システム。
【請求項６】
記録媒体上にインクを吐出する吐出ノズルが開口するノズル領域が設けられた記録ヘッドの回復システムであって、
前記吐出ノズルから強制的に押出されたパージインクを拭き取るワイパーと、
該ワイパーを、前記ノズル領域を含むインク吐出面に沿って往復移動させる駆動機構と、
前記吐出ノズルからのインクの押し出し及び吐出、並びに前記駆動機構の動作を制御する制御部と、
を備え、
前記制御部は、
前記吐出ノズルからインクを強制的に押出して前記ノズル領域に前記パージインクを付着させる第１インク押出動作と、
前記インク吐出面における前記ノズル領域の外側の第１位置に前記ワイパーを圧接させた後、前記ワイパーを前記インク吐出面に圧接させた状態で前記インク吐出面に沿って前記ノズル領域側に向かう第１方向に移動させることにより、前記パージインクを拭き取り、前記ノズル領域に対して前記第１位置とは反対側の第２位置まで前記ワイパーを移動させる第１拭き取り動作と、
前記ノズル領域に対して前記第１位置とは反対側の位置から前記ノズル領域に対して前記第１位置側の位置まで、前記ワイパーを前記インク吐出面に圧接させた状態で前記インク吐出面に沿って移動させる第２拭き取り動作と、
を含む前記記録ヘッドの回復動作を実行可能であり、
前記ワイパーは、前記第１方向に向かって配置される第１拭き取り面と、前記第１方向とは反対の第２方向に向かって配置される第２拭き取り面と、前記第１拭き取り面および前記第２拭き取り面の間に配置される上面と、を含み、
前記第１拭き取り面は、前記第１拭き取り動作において前記ワイパーが前記第１方向に移動する際に前記インク吐出面に接触する第１上端部を含み、
前記第２拭き取り面は、前記第２拭き取り動作において前記ワイパーが前記第２方向に移動する際に前記インク吐出面に接触する第２上端部を含み、
前記上面には、前記第１上端部と前記第２上端部との間に側面視矩形状の凸部が形成されており、前記第１上端部と前記凸部との間に前記第１上端部側から前記第２上端部側に向かって高くなる第１段差部が形成され、
前記制御部は、
前記第１拭き取り動作の実行後、前記ワイパーを前記インク吐出面から離間させる離間動作を実行することを特徴とする記録ヘッドの回復システム。
【請求項７】
請求項１〜６のいずれか１項に記載の記録ヘッドの回復システムを備えたことを特徴とするインクジェット記録装置。
【発明の詳細な説明】
【技術分野】
【０００１】
本発明は、用紙のような記録媒体にインクを吐出することによって記録を行うインクジェット記録装置に関し、特に、記録ヘッドの吐出ノズルからインクを強制的に押出した後、インク吐出面に付着したパージインクをワイパーで拭き取る記録ヘッドの回復システム及びそれを備えたインクジェット記録装置に関するものである。
【背景技術】
【０００２】
ファクシミリ、複写機、プリンターのような記録装置として、インクを吐出して画像を形成するインクジェット記録装置が、高精細な画像を形成できることから広く用いられている。
【０００３】
このようなインクジェット記録装置では、インクの直進性の悪化（飛翔曲がり）や不吐出等が発生して記録ヘッドの印字性能が低下することがある。この原因としては、用紙（記録媒体）の搬送時に発生する紙粉や埃、塵のような異物や、画像記録のためのインク滴と共に吐出される微小なインク滴（以下、ミストと称する）や、インク滴が記録媒体に付着した際に発生する跳ね返りミストが、記録ヘッドのインク吐出面に付着することによるメニスカス異常の発生が考えられる。また、キャップ装着箇所へミストが付着して乾燥することによるキャップ装着時の密閉性の低下、及びそれに伴うノズル内のインクの粘度上昇の発生も考えられる。
【０００４】
そこで、記録ヘッドのインク吐出面に開口が設けられた吐出ノズル内のインクの乾燥や、吐出ノズル内のインクの増粘によるノズルの目詰まりを防止するために、ノズルからインクを強制的に押出（パージ）した後、インク吐出面（ノズル面）に付着したパージインクをワイパーで拭き取って記録ヘッドの回復処理を行う構成が用いられている。
【０００５】
例えば、記録ヘッドのインク吐出面のノズルのない部分にワイパーを所定の接触圧で接触させてインク吐出面を拭き取る方法が知られている。具体的には、図３５Ａのように、記録ヘッド１０１のインク吐出面１０１ａの、吐出ノズルの配置されたノズル領域１０２の外側の領域（拭き取り開始位置）にワイパー１０３を略垂直に押し当てる。次に、図３５Ｂ、図３５Ｃのようにワイパー１０３をインク吐出面１０１ａに沿って矢印Ａ方向に水平移動させることでノズル領域１０２のインク１０４を拭き取り、図３５Ｄのようにワイパー１０３をインク吐出面１０１ａから離間させた後、矢印Ａ′方向に水平移動させることで拭き取り開始位置まで戻す。
【０００６】
しかし、図３５Ａ〜図３５Ｄに示す方法では、図３６Ａに示すように、２回目の拭き取り時にはワイパー１０３の側面および先端にインク１０４ａ、１０４ｂが付着している。ワイパー１０３の側面および先端に付着したインク１０４ａ、１０４ｂは空気に触れて増粘しており、図３６Ｂおよび図３６Ｃのように、インク吐出面１０１ａに付着する。
【０００７】
上記のように拭き取り動作を繰り返すことで、拭き取り開始位置近傍に徐々にインク１０４ｂが溜まり、大きなインク溜まりとなる。このインク溜まりがインク吐出面１０１ａの下方を通過する記録媒体上に落下したり、接触したりして印字面を汚してしまうという不都合があった。
【０００８】
この不都合を改善するために、特許文献１には、記録ヘッドのインク吐出面に順次接触可能な２枚のワイパーを有し、先行するワイパーによってパージインクを拭き取り、後続のワイパーによって先行するワイパーの拭き取り開始位置近傍に残るインクを拭き取るようにしたインクジェット記録装置のワイピング機構が開示されている。
【先行技術文献】
【特許文献】
【０００９】
【特許文献１】特開２０１３−４９２０５号公報
【発明の概要】
【発明が解決しようとする課題】
【００１０】
しかしながら、特許文献１の構造では、後続のワイパーが拭き取ったインクが、次回の拭き取り時に、後続のワイパーの拭き取り開始位置に付着する。そして、拭き取り動作を繰り返すことによって、大きなインク溜まりが形成されるという問題点がある。また、このワイピング機構では、ワイパーの数が多くなるので構造が複雑になるという問題点もある。
【００１１】
本発明は、上記のような課題を解決するためになされたものであり、本発明の目的は、簡易な構成で、インク吐出面におけるインク溜まりの発生を抑制することが可能な記録ヘッドの回復システム及びそれを備えたインクジェット記録装置を提供することである。
【課題を解決するための手段】
【００１２】
上記目的を達成するために、本発明の記録ヘッドの回復システムは、記録媒体上にインクを吐出する吐出ノズルが開口するノズル領域が設けられた記録ヘッドの回復システムであって、吐出ノズルから強制的に押出されたパージインクを拭き取るワイパーと、ワイパーを、ノズル領域を含むインク吐出面に沿って往復移動させる駆動機構と、吐出ノズルからのインクの押し出し及び吐出、並びに駆動機構の動作を制御する制御部と、を備える。制御部は、吐出ノズルからインクを強制的に押出してノズル領域にパージインクを付着させる第１インク押出動作と、インク吐出面におけるノズル領域の外側の第１位置にワイパーを圧接させた後、ワイパーをインク吐出面に圧接させた状態でインク吐出面に沿ってノズル領域側に向かう第１方向に移動させることにより、パージインクを拭き取り、ノズル領域に対して第１位置とは反対側の第２位置までワイパーを移動させる第１拭き取り動作と、ノズル領域に対して第１位置とは反対側の位置からノズル領域に対して第１位置側の位置まで、ワイパーをインク吐出面に圧接させた状態でインク吐出面に沿って移動させる第２拭き取り動作と、を含む記録ヘッドの回復動作を実行可能である。ワイパーは、第１方向に向かって配置される第１拭き取り面と、第１方向とは反対の第２方向に向かって配置される第２拭き取り面と、第１拭き取り面および第２拭き取り面の間に配置される上面と、を含み、第１拭き取り面は、第１拭き取り動作においてワイパーが第１方向に移動する際にインク吐出面に接触する第１上端部を含み、第２拭き取り面は、第２拭き取り動作においてワイパーが第２方向に移動する際にインク吐出面に接触する第２上端部を含み、上面には、第１上端部と第２上端部との間に側面視矩形状の凸部が形成されており、第１上端部と凸部との間に第１上端部側から第２上端部側に向かって高くなる第１段差部が形成されている。
【発明の効果】
【００１３】
本発明によれば、インク吐出面に残留インクが溜まるのを抑制することができるので、大きなインク溜まりが発生するのを抑制することができる。また、記録ヘッドの回復システムの構造が複雑になるのを抑制することができる。
【図面の簡単な説明】
【００１４】
【図１】本発明の第１実施形態に係るインクジェット記録装置の構造を示す図
【図２】図１に示すインクジェット記録装置の第１搬送ユニット及び記録部を上方から見た図
【図３】記録部を斜め上方から見た図
【図４】記録部のラインヘッドを構成する記録ヘッドの図
【図５】記録ヘッドをインク吐出面側から見た図
【図６】メンテナンスユニットに搭載されるワイピング機構を斜め上方から見た図
【図７】ワイピング機構を構成するキャリッジを斜め上方から見た図
【図８】ワイパーの構造を示す図
【図９】ワイパー上部の構造をワイパー幅方向から示す図
【図１０】ワイピング機構を構成する支持フレームを斜め上方から見た図
【図１１】メンテナンスユニットのユニット筐体からワイピング機構を取り外した状態を示す図
【図１２】ユニット筐体に配置される昇降機構の図であり、リフト部材が水平状態にある状態を示す図
【図１３】ユニット筐体に配置される昇降機構の図であり、図１２の状態からリフト部材が起立した状態を示す図
【図１４】昇降機構を構成するリフト部材の図
【図１５】メンテナンスユニットを記録部の下方に配置した状態を示す図
【図１６】図１５の状態におけるメンテナンスユニット内のキャリッジ、ワイパー、支持フレーム、昇降機構を示す図
【図１７】図１６の状態から昇降機構により支持フレーム及びキャリッジが上昇し、ワイパーがインク吐出面に当接して配置された状態を示す図
【図１８】ワイパーを第１位置の下方に配置した状態を示す記録ヘッドの図
【図１９】図１８の状態のインク吐出面を下側から見た記録ヘッドの図
【図２０】ワイパーをインク吐出面に圧接させた状態で矢印Ａ方向に移動させた状態を示す記録ヘッドの図
【図２１】ワイパーをインク吐出面に圧接させた状態で矢印Ａ方向に移動させている途中のワイパーの状態を示す図
【図２２】図２０の状態からワイパーを第２位置まで移動させた状態を示す記録ヘッドの図
【図２３】第２位置においてワイパーをインク吐出面から離間させた状態を示す記録ヘッドの図
【図２４】図２３の状態からワイパーを矢印Ａ′方向に移動させた状態を示す記録ヘッドの図
【図２５】図２４の状態からパージインクを押出した状態を示す記録ヘッドの図
【図２６】図２５の状態からワイパーをインク吐出面に圧接させた後、矢印Ａ′方向に移動させた状態を示す記録ヘッドの図
【図２７】ワイパーをインク吐出面に圧接させた状態で矢印Ａ′方向に移動させている途中のワイパーの状態を示す図
【図２８】図２６の状態からワイパーをさらに矢印Ａ′方向に移動させ、パージインクが残留インクに接触した状態を示す記録ヘッドの図
【図２９】図２８の状態からワイパーを矢印Ａ′方向の下流側端縁まで移動させた状態を示す記録ヘッドの図
【図３０】昇降機構により支持フレーム及びキャリッジが下降し、ワイパーがインク吐出面から離間した状態を示す図
【図３１】ワイパーをインク吐出面から離間させた状態を示す記録ヘッドの図
【図３２】本発明の第２実施形態のインクジェット記録装置に用いられるワイパーの構造を示す図
【図３３】本発明の第２実施形態のインクジェット記録装置に用いられるワイパー上部の構造をワイパー幅方向から示す図
【図３４】本発明の第３実施形態のインクジェット記録装置に設けられるクリーニング機構の構造を示した図
【図３５Ａ】ワイパーをインク吐出面に対し略垂直方向から所定の接触圧で接触させて記録ヘッドのインク吐出面を拭き取る従来のワイピング機構を示す図であり、ワイパーを拭き取り開始位置の下方に配置した状態を示す図
【図３５Ｂ】図３５Ａの状態からワイパーをインク吐出面に接触させながらノズル領域の方向に移動させた状態を示す記録ヘッドの図
【図３５Ｃ】図３５Ｂの状態からワイパーをさらに移動させてノズル領域を通過させた状態を示す記録ヘッドの図
【図３５Ｄ】図３５Ｃの状態からワイパーをインク吐出面から離間させた状態を示す記録ヘッドの図
【図３６Ａ】図３５Ａに示す従来のワイピング機構を用いて２回目の拭き取りを行うためにワイパーを拭き取り開始位置の下方に配置した状態を示す記録ヘッドの図
【図３６Ｂ】図３６Ａの状態からワイパーをインク吐出面に接触させた状態を示す記録ヘッドの図
【図３６Ｃ】図３６Ｂの状態からワイパーをインク吐出面に接触させながらノズル領域の方向に移動させた状態を示す記録ヘッドの図
【発明を実施するための形態】
【００１５】
以下、本発明の実施形態について図面を参照して説明する。
【００１６】
（第１実施形態）
図１に示すように、本発明の第１実施形態のインクジェット記録装置１００の左側部には用紙Ｓ（記録媒体）を収容する給紙トレイ２が設けられており、この給紙トレイ２の一端部には収容された用紙Ｓを、最上位の用紙Ｓから順に一枚ずつ後述する第１搬送ユニット５へと給紙するための給紙ローラー３と、給紙ローラー３に圧接され従動回転する従動ローラー４とが設けられている。
【００１７】
用紙搬送方向（矢印Ｘ方向）に対し給紙ローラー３及び従動ローラー４の下流側（図１の右側）には、第１搬送ユニット５及び記録部９が配置されている。第１搬送ユニット５は、第１駆動ローラー６と、第１従動ローラー７と、第１駆動ローラー６及び第１従動ローラー７に掛け渡された第１搬送ベルト８とを含む構成であり、インクジェット記録装置１００の制御部１１０からの制御信号により第１駆動ローラー６が時計回り方向に回転駆動されることにより、第１搬送ベルト８に保持された用紙Ｓが矢印Ｘ方向に搬送される。
【００１８】
記録部９は、ヘッドハウジング１０と、ヘッドハウジング１０に保持されたラインヘッド１１Ｃ、１１Ｍ、１１Ｙ、及び１１Ｋを備えている。これらのラインヘッド１１Ｃ〜１１Ｋは、第１搬送ベルト８の搬送面に対して所定の間隔（例えば１ｍｍ）が形成されるような高さに支持され、図２および図３に示すように、用紙搬送方向と直交する用紙幅方向（図２の上下方向）に沿って複数（ここでは３個）の記録ヘッド１７ａ〜１７ｃが千鳥状に配列されている。なお、図３は記録部９を図１の奥側（図２の上側）から見た状態を示しており、ラインヘッド１１Ｃ〜１１Ｋの並びは図１及び図２とは逆になっている。
【００１９】
図４及び図５に示すように、記録ヘッド１７ａ〜１７ｃのインク吐出面Ｆには吐出ノズル１８（図２参照）が多数配列されたノズル領域Ｒが設けられている。なお、記録ヘッド１７ａ〜１７ｃは同一の形状及び構成であるため、図４および図５では記録ヘッド１７ａ〜１７ｃを一つの図で示している。
【００２０】
各ラインヘッド１１Ｃ〜１１Ｋを構成する記録ヘッド１７ａ〜１７ｃには、それぞれインクタンク（図示せず）に貯留されている４色（シアン、マゼンタ、イエロー及びブラック）のインクがラインヘッド１１Ｃ〜１１Ｋの色毎に供給される。
【００２１】
各記録ヘッド１７ａ〜１７ｃは、制御部１１０（図１参照）からの制御信号により外部コンピューターから受信した画像データに応じて、第１搬送ベルト８の搬送面に吸着保持されて搬送される用紙Ｓに向かって吐出ノズル１８からインクを吐出する。これにより、第１搬送ベルト８上の用紙Ｓにはシアン、マゼンタ、イエロー、ブラックの４色のインクが重ね合わされたカラー画像が形成される。
【００２２】
また、記録ヘッド１７ａ〜１７ｃの乾燥や目詰まりによるインクの吐出不良を防止するために、長期間停止後の印字開始時は全ての記録ヘッド１７ａ〜１７ｃの吐出ノズル１８から、また印字動作の合間にはインク吐出量が規定値以下の記録ヘッド１７ａ〜１７ｃの吐出ノズル１８から、吐出ノズル１８内の粘度が高くなったインクを押し出すパージを実行して、次の印字動作に備える。
【００２３】
図１に戻って、用紙搬送方向に対し第１搬送ユニット５の下流側（図１の右側）には第２搬送ユニット１２が配置されている。第２搬送ユニット１２は、第２駆動ローラー１３と、第２従動ローラー１４と、第２駆動ローラー１３及び第２従動ローラー１４に掛け渡された第２搬送ベルト１５とを含む構成であり、第２駆動ローラー１３が時計回り方向に回転駆動されることにより、第２搬送ベルト１５に保持された用紙Ｓが矢印Ｘ方向に搬送される。
【００２４】
記録部９にてインク画像が記録された用紙Ｓは第２搬送ユニット１２へと送られ、第２搬送ユニット１２を通過する間に用紙Ｓ表面に吐出されたインクが乾燥される。また、第２搬送ユニット１２の下方にはメンテナンスユニット１９及びキャップユニット９０が配置されている。メンテナンスユニット１９は、上述したパージを実行する際に記録部９の下方に移動し、記録ヘッド１７ａ〜１７ｃの吐出ノズル１８から押し出されインク吐出面Ｆに付着しているインクを拭き取り、拭き取られたインクを回収する。キャップユニット９０は、記録ヘッド１７ａ〜１７ｃのインク吐出面Ｆ（図４参照）をキャッピングする際に記録部９の下方に水平移動し、さらに上方に移動して記録ヘッド１７ａ〜１７ｃの下面に装着される。なお、メンテナンスユニット１９の詳細な構成については後述する。
【００２５】
また、用紙搬送方向に対し第２搬送ユニット１２の下流側には、画像が記録された用紙Ｓを装置本体外へと排出する排出ローラー対１６が設けられており、排出ローラー対１６の下流側には、装置本体外へと排出された用紙Ｓが積載される排出トレイ（図示せず）が設けられている。
【００２６】
メンテナンスユニット１９には、図６に示すワイピング機構３０が搭載されている。ワイピング機構３０は、複数のワイパー３５ａ〜３５ｃ（図７参照）が固定された略矩形状のキャリッジ３１と、キャリッジ３１を支持する支持フレーム４０とで構成されている。支持フレーム４０の上面の対向する端縁にはレール部４１ａ、４１ｂが形成されており、キャリッジ３１の四隅に設けられた摺動コロ３６がレール部４１ａ、４１ｂに当接することで、キャリッジ３１は支持フレーム４０に対し矢印ＡＡ′方向に摺動可能に支持される。
【００２７】
図７に示すように、キャリッジ３１は、支持フレーム４０のレール部４１ａ、４１ｂに摺動コロ３６を介して摺動可能に係合する第１ステー３２ａ、３２ｂと、第１ステー３２ａ、３２ｂの間に橋渡し状に固定された第２ステー３３ａ、３３ｂ、３３ｃとで枠体状に形成されている。
【００２８】
第１ステー３２ａには、支持フレーム４０に保持された入力ギア４３（図６参照）に噛み合うラック歯３８が形成されている。入力ギア４３が正逆方向に回転すると、キャリッジ３１は支持フレーム４０に沿って水平方向（図６の矢印ＡＡ′方向）に往復移動する。なお、ラック歯３８および入力ギア４３によって、本発明の駆動機構が構成されている。
【００２９】
ワイパー３５ａ〜３５ｃは、各記録ヘッド１７ａ〜１７ｃの吐出ノズル１８から押し出されたインクを拭き取るための部材である。ワイパー３５ａ〜３５ｃは、吐出ノズル１８のノズル面が露出するノズル領域Ｒ（図５参照）の外側の位置に略垂直方向から圧接され、キャリッジ３１の移動によりノズル領域Ｒを含むインク吐出面Ｆを所定方向（図６の矢印ＡＡ′方向）に拭き取る。
【００３０】
第２ステー３３ａには４枚のワイパー３５ａが略等間隔で固定されており、同様に、第２ステー３３ｂには４枚のワイパー３５ｂが、第２ステー３３ｃには４枚のワイパー３５ｃが略等間隔で固定されている。ワイパー３５ａ、３５ｃは、それぞれ各ラインヘッド１１Ｃ〜１１Ｋを構成する左右の記録ヘッド１７ａ、１７ｃ（図３参照）に対応する位置に配置されている。また、ワイパー３５ｂは、各ラインヘッド１１Ｃ〜１１Ｋを構成する中央の記録ヘッド１７ｂ（図３参照）に対応する位置に配置されており、ワイパー３５ａ、３５ｃに対しキャリッジ３１の移動方向（図６の矢印ＡＡ′方向）と直交する方向に所定距離だけずらして固定されている。
【００３１】
図８および図９に示すように、ワイパー３５ａ〜３５ｃの各々は、矢印Ａ方向（第１方向）に向かって配置される第１拭き取り面３５ｄと、矢印Ａ方向とは反対方向（第２方向）に向かって配置される第２拭き取り面３５ｅと、第１拭き取り面３５ｄおよび第２拭き取り面３５ｅの間に配置される上面３５ｆと、を含んでいる。
【００３２】
第１拭き取り面３５ｄは、後述する第１拭き取り動作時に、後述する第１インク押出動作により押出されたパージインク２２ｂ（図１８参照）を拭き取る。第１拭き取り面３５ｄの第１上端部３５ｇは、第１拭き取り動作においてワイパー３５ａ〜３５ｃが矢印Ａ方向に移動する際にインク吐出面Ｆに圧接される。
【００３３】
第２拭き取り面３５ｅは、後述する第２拭き取り動作時に、後述する第２インク押出動作により押出されたパージインク２２ｃ（図２５参照）を拭き取る。第２拭き取り面３５ｅの第２上端部３５ｈは、第２拭き取り動作においてワイパー３５ａ〜３５ｃが矢印Ａ方向とは反対方向（矢印Ａ′方向）に移動する際にインク吐出面Ｆに圧接される。
【００３４】
上面３５ｆには、第１上端部３５ｇと第２上端部３５ｈとの間に、上方に突出する側面視矩形状の凸部Ｃが形成されている。第１上端部３５ｇと凸部Ｃとの間には第１上端部３５ｇ側から第２上端部３５ｈ側に向かって高くなる（上がる）第１段差部Ｌ１が形成されているとともに、凸部Ｃと第２上端部３５ｈとの間には第１上端部３５ｇ側から第２上端部３５ｈ側に向かって低くなる（下がる）第２段差部Ｌ２が形成されている。なお、凸部Ｃ（第１段差部Ｌ１、第２段差部Ｌ２）は、後述する第１拭き取り動作および第２拭き取り動作においてワイパー３５ａ〜３５ｃが矢印ＡＡ′方向に移動する際にインク吐出面Ｆに接触しない。
【００３５】
例えば、ワイパー３５ａ〜３５ｃは、矢印Ａ方向から見て約２．５ｍｍの幅を有し、断面視で約１．０ｍｍの幅（第１拭き取り面３５ｄと第２拭き取り面３５ｅとの距離）を有するように形成されている。また、凸部Ｃは、断面視で約０．５ｍｍ角に形成されている。
【００３６】
図７に示すように、第２ステー３３ａ、３３ｃの上面の４箇所にはギャップコロ３７が設けられている。ギャップコロ３７は、ワイパー３５ａ〜３５ｃによる記録ヘッド１７ａ〜１７ｃのインク吐出面Ｆの拭き取り動作を行うためにワイピング機構３０を記録部９側に上昇させたとき、記録部９のヘッドハウジング１０に当接することでワイパー３５ａ〜３５ｃとインク吐出面Ｆとの接触状態を一定に保持する。
【００３７】
図１０に示すように、支持フレーム４０の上面には、ワイパー３５ａ〜３５ｃによってインク吐出面Ｆから拭き取られた廃インクを回収するためのインク回収トレイ４４が配置されている。インク回収トレイ４４の略中央部には、第２ステー３３ａ〜３３ｃの延在方向に沿って溝部４４ａが形成されており、溝部４４ａを挟んで両側のトレイ面４４ｂ、４４ｃは、溝部４４ａに向かって下り勾配となっている。溝部４４ａ内にはインク排出孔４４ｄが設けられており、溝部４４ａの底面はインク排出孔４４ｄに向かって下り勾配となっている。
【００３８】
ワイパー３５ａ〜３５ｃによってインク吐出面Ｆから拭き取られ、トレイ面４４ｂ、４４ｃに落下した廃インクは溝部４４ａに集められ、さらに溝部４４ａ内をインク排出孔４４ｄに向かって流れる。その後、インク排出孔４４ｄに連結されたインク回収路（図示せず）を通って廃インク回収タンク（図示せず）に回収される。
【００３９】
次に、本実施形態のワイピング機構３０を昇降させるための昇降機構５０について説明する。メンテナンスユニット１９は、図１１に示すユニット筐体４５と、ユニット筐体４５に取り付けられるワイピング機構３０（図６参照）と、ユニット筐体４５に配置される昇降機構５０と、を含んでいる。ユニット筐体４５の底面４５ａには図１１および図１２に示すように、２個のリフト部材５０ａがシャフト５０ｂの両端に固定された昇降機構５０が、キャリッジ３１の移動方向（図６の矢印ＡＡ′方向）に対向する側面４５ｂ、４５ｃに沿って一対配置されている。即ち、昇降機構５０は、記録部９のヘッドハウジング１０の幅方向両端（図２の上下両端部）に対向する位置に配置される。なお、図１１では側面４５ｃ側の昇降機構５０の記載を省略している。また、ユニット筐体４５の側面４５ｂ、４５ｃに隣接する側面４５ｄには、モーター４７と、モーター４７の回転駆動力をシャフト５０ｂに伝達する駆動伝達軸４８とが付設されている。
【００４０】
図１４に示すように、リフト部材５０ａの下端部はシャフト５０ｂに固定されており、シャフト５０ｂの回転に伴いリフト部材５０ａは揺動する。リフト部材５０ａの上端部には押し上げコロ５３が回転自在に付設されている。また、押し上げコロ５３は、コイルバネ５５によってシャフト５０ｂから離間する方向（図１４では上方向）に付勢されている。
【００４１】
図１２の状態から、右側の昇降機構５０のシャフト５０ｂを時計回り方向に、左側の昇降機構５０のシャフト５０ｂを反時計回り方向に回転すると、ユニット筐体４５の内側に倒れ込んだリフト部材５０ａが外側方向（矢印Ｂ方向）に立ち上がる。これにより、リフト部材５０ａは水平状態から起立状態（図１３の状態）に切り替えられ、支持フレーム４０と共にキャリッジ３１を上昇させる。
【００４２】
一方、図１３の状態から、右側の昇降機構５０のシャフト５０ｂを反時計回り方向に、左側の昇降機構５０のシャフト５０ｂを時計回り方向に回転すると、リフト部材５０ａがユニット筐体４５の内側方向（矢印Ｂ′方向）に倒れ込む。これにより、リフト部材５０ａは起立状態から水平状態（図１２の状態）に切り替えられ、支持フレーム４０と共にキャリッジ３１を下降させる。
【００４３】
次に、本実施形態のインクジェット記録装置１００における、ワイピング機構３０を用いた記録ヘッド１７ａ〜１７ｃの回復動作について説明する。なお、図１６、図１７および図３０では、記録部９及びメンテナンスユニット１９を用紙搬送方向下流側（図１５の左側）から見た状態を示している。また、支持フレーム４０は簡略化して板状に記載しており、ユニット筐体４５は底面４５ａのみを記載している。また、以下で説明する記録ヘッド１７ａ〜１７ｃの回復動作およびキャップユニット装着動作は、制御部１１０（図１参照）からの制御信号に基づいて記録ヘッド１７ａ〜１７ｃ、ワイピング機構３０、昇降機構５０等の動作を制御することによって実行される。
【００４４】
記録ヘッド１７ａ〜１７ｃの回復動作を行う場合、先ず、図１５に示すように、記録部９の下方に位置する第１搬送ユニット５を下降させる。そして、第２搬送ユニット１２の下方に配置されたメンテナンスユニット１９を水平移動させて記録部９と第１搬送ユニット５との間に配置する。この状態では、図１６に示すように、昇降機構５０のリフト部材５０ａは水平状態にあり、キャリッジ３１に固定されたワイパー３５ａ〜３５ｃは記録ヘッド１７ａ〜１７ｃのインク吐出面Ｆから離間している。
【００４５】
（第１インク押出動作）
ワイピング動作（後述の第１拭き取り動作）に先立って、インク２２が記録ヘッド１７ａ〜１７ｃに供給される。図１８に示すように、供給されたインク２２は吐出ノズル１８から強制的に押出（パージ）される。このパージ動作により、吐出ノズル１８内の増粘インク、異物や気泡が排出され、記録ヘッド１７ａ〜１７ｃを回復することができる。このとき、図１９に示すように、パージインク２２ｂは吐出ノズル１８の存在するノズル領域Ｒの形状に沿ってインク吐出面Ｆに押出される。
【００４６】
（第１拭き取り動作）
ワイパー３５ａ〜３５ｃを、記録ヘッド１７ａ〜１７ｃのインク吐出面Ｆの、ノズル領域Ｒの外側の第１位置Ｐ１に所定の圧力で接触させる。具体的には、図１７および図１８に示すように、昇降機構５０のシャフト５０ｂを回転させてリフト部材５０ａを矢印Ｂ方向に起立させることにより、支持フレーム４０及びキャリッジ３１を持ち上げる。このとき、リフト部材５０ａのコイルバネ５５（図１４参照）の付勢力によってキャリッジ３１に設けられたギャップコロ３７がヘッドハウジング１０の下面に押し当てられるため、ワイパー３５ａ〜３５ｃをインク吐出面Ｆに対し常に一定の圧力で圧接させることができる。
【００４７】
ワイパー３５ａ〜３５ｃの先端がインク吐出面Ｆに圧接した状態から、入力ギア４３（図６参照）を正回転させてキャリッジ３１を図１７の矢印Ａ方向に移動させることにより、キャリッジ３１に支持されたワイパー３５ａ〜３５ｃも図２０に示すようにインク吐出面Ｆに圧接された状態でインク吐出面Ｆに沿ってノズル領域Ｒの方向（左方向、第１方向、矢印Ａ方向）に移動する。支持フレーム４０には昇降機構５０によって上方向の力が作用しているため、キャリッジ３１はギャップコロ３７がヘッドハウジング１０に押し当てられた状態を維持しながら矢印Ａ方向に移動する。
【００４８】
このとき、図２０に示すように、前回の記録ヘッド回復動作時にワイパー３５ａ〜３５ｃの先端（上面３５ｆ）に残留し、長時間空気に触れて増粘した残留インク２２ａは、インク吐出面Ｆの第１位置Ｐ１に付着し、ワイパー３５ａ〜３５ｃの先端から離間する。
【００４９】
なお、図２１に示すように、第１拭き取り動作においてワイパー３５ａ〜３５ｃが矢印Ａ方向に移動する際には、凸部Ｃ（第１段差部Ｌ１、第２段差部Ｌ２）はインク吐出面Ｆに接触しない。
【００５０】
そして、図２２に示すように、ワイパー３５ａ〜３５ｃは、インク吐出面Ｆのパージインク２２ｂを拭き取りながら左方向（矢印Ａ方向）に移動し、ノズル領域Ｒに対して第１位置Ｐ１とは反対側の位置（第２位置Ｐ２、左端縁）に到達すると、左方向への移動が停止される。なお、ワイパー３５ａ〜３５ｃによって拭き取られた廃インクの大部分は、インク回収トレイ４４（図１０参照）に回収される。
【００５１】
（離間動作）
第１拭き取り動作の実行後、図２３に示すように、ワイパー３５ａ〜３５ｃをインク吐出面Ｆから離間させる。具体的には、昇降機構５０のシャフト５０ｂ（図１７参照）を逆回転させてリフト部材５０ａを矢印Ｂ′方向に揺動させて水平状態にすることにより、支持フレーム４０及びキャリッジ３１を下降させる。なお、ワイパー３５ａ〜３５ｃの上面３５ｆには第１段差部Ｌ１が形成されているので、第１拭き取り面３５ｄ側のパージインク２２ｂが第２拭き取り面３５ｅ側に移動するのを抑制することができる。このため、ワイパー３５ａ〜３５ｃをインク吐出面Ｆから離間させる際に、ワイパー３５ａ〜３５ｃの上面３５ｆに付着するパージインク２２ｂの量を低減することができる。また、ワイパー３５ａ〜３５ｃの上面３５ｆに第１段差部Ｌ１を形成すること、及び第１拭き取り動作においてワイパー３５ａ〜３５ｃをインク吐出面Ｆの左端縁まで移動させることによって、ワイパー３５ａ〜３５ｃをインク吐出面Ｆから離間させる際に、パージインク２２ｂがインク吐出面Ｆに残存するのを十分に抑制することができる。
【００５２】
（移動動作）
離間動作の実行後、図２４に示すように、ワイパー３５ａ〜３５ｃを水平移動させる。具体的には、図２３の状態から入力ギア４３（図６参照）を逆回転させてキャリッジ３１を矢印Ａ′方向に移動させることにより、図２４に示すように、キャリッジ３１に支持されたワイパー３５ａ〜３５ｃが、第２位置Ｐ２に対してノズル領域Ｒと同じ方向（右方向）に移動する。なお、ワイパー３５ａ〜３５ｃを右方向に移動させずに後述する第２拭き取り動作を実行することも可能であるが、ワイパー３５ａ〜３５ｃを右方向に少し移動させることによって、第２拭き取り動作においてワイパー３５ａ〜３５ｃの上面３５ｆがインク吐出面Ｆの左端部（角部）に接触して損傷するのを抑制することができる。
【００５３】
（第２インク押出動作）
移動動作の実行後、インク２２が記録ヘッド１７ａ〜１７ｃに供給される。図２５に示すように、供給されたインク２２は吐出ノズル１８から強制的に押出（パージ）される。これにより、第１インク押出動作と同様に、インク吐出面Ｆにパージインク２２ｃが付着する。
【００５４】
（第２拭き取り動作）
その後、インク吐出面Ｆのパージインク２２ｃおよび残留インク２２ａを拭き取るワイピング動作を行う。具体的には、昇降機構５０のシャフト５０ｂを回転させてリフト部材５０ａを矢印Ｂ方向に起立させることにより、支持フレーム４０及びキャリッジ３１を持ち上げる。これにより、ワイパー３５ａ〜３５ｃを、記録ヘッド１７ａ〜１７ｃのインク吐出面Ｆの、ノズル領域Ｒに対して左側の位置に所定の圧力で接触させる。そして、入力ギア４３（図６参照）を逆回転させてキャリッジ３１を矢印Ａ′方向（右方向、第２方向）に移動させることにより、図２６に示すように、ワイパー３５ａ〜３５ｃがインク吐出面Ｆに圧接された状態でインク吐出面Ｆに沿ってノズル領域Ｒの方向（右方向）に移動する。
【００５５】
なお、図２７に示すように、第２拭き取り動作においてワイパー３５ａ〜３５ｃが矢印Ａ′方向に移動する際には、凸部Ｃ（第１段差部Ｌ１、第２段差部Ｌ２）はインク吐出面Ｆに接触しない。
【００５６】
そして、第２インク押出動作により押出されたパージインク２２ｃと、第１位置Ｐ１の残留インク２２ａと、が拭き取られる。このとき、図２８に示すようにワイパー３５ａ〜３５ｃに拭き取られたパージインク２２ｃが残留インク２２ａに接触した際に、残留インク２２ａがパージインク２２ｃに溶解して残留インク２２ａの増粘が緩和される。
【００５７】
その後、ワイパー３５ａ〜３５ｃが、それぞれ記録ヘッド１７ａ〜１７ｃのインク吐出面Ｆの端縁（図２９の右端縁）まで移動し、ワイパー３５ａ〜３５ｃによって拭き取られた廃インクの大部分は流れ落ちてインク回収トレイ４４（図１０参照）に回収される。そして、図３０に示すように、昇降機構５０のシャフト５０ｂを回転させてリフト部材５０ａを矢印Ｂ′方向に倒伏させることにより、ワイパー３５ａ〜３５ｃを、記録ヘッド１７ａ〜１７ｃのインク吐出面Ｆから下方に退避させてメンテナンスユニット１９を図１６の状態に戻す。
【００５８】
なお、図９に示すようにワイパー３５ａ〜３５ｃの上面３５ｆには第２段差部Ｌ２が形成されているので、図３１に示すように第２拭き取り面３５ｅ側のパージインク２２ｃが第１拭き取り面３５ｄ側に移動するのを抑制することができる。このため、ワイパー３５ａ〜３５ｃをインク吐出面Ｆから離間させる際に、ワイパー３５ａ〜３５ｃの上面３５ｆに付着するパージインク２２ｃの量を低減することができる。また、ワイパー３５ａ〜３５ｃの上面３５ｆに第２段差部Ｌ２を形成すること、及び第２拭き取り動作においてワイパー３５ａ〜３５ｃをインク吐出面Ｆの右端縁まで移動させることによって、ワイパー３５ａ〜３５ｃをインク吐出面Ｆから離間させる際に、パージインク２２ｃがインク吐出面Ｆに残存するのを十分に抑制することができる。
【００５９】
最後に、記録部９と第１搬送ユニット５との間に配置されたメンテナンスユニット１９を水平移動させて第２搬送ユニット１２の下方に配置し、第１搬送ユニット５を所定の位置まで上昇させて記録ヘッド１７ａ〜１７ｃの回復動作を終了する。
【００６０】
記録ヘッド１７ａ〜１７ｃにキャップユニット９０を装着する場合は、先ず、図１５に示すように、記録部９の下面に対向配置されている第１ベルト搬送部５を下降させる。そして、第２ベルト搬送部１２の下方に配置されたキャップユニット９０を記録部９と第１ベルト搬送部５との間に水平移動させて記録部９に対向する位置に配置する。
【００６１】
次いで、第１ベルト搬送部５を上昇させることにより、キャップユニット９０が押し上げられる。そして、キャップユニット９０が記録ヘッド１７ａ〜１７ｃに密着した時点で第１ベルト搬送部５の上昇を停止させることにより、キャップユニット９０の装着を完了する。
【００６２】
本実施形態では、上記のように、第１拭き取り動作の実行後、ノズル領域Ｒに対して第１位置Ｐ１とは反対側の位置からノズル領域Ｒに対して第１位置Ｐ１側の位置まで、ワイパー３５ａ〜３５ｃをインク吐出面Ｆに沿って移動させる第２拭き取り動作を実行することによって、ワイパー３５ａ〜３５ｃにより第１位置Ｐ１の残留インク２２ａを拭き取ることができる。これにより、インク吐出面Ｆに残留インク２２ａが溜まるのを抑制することができるので、大きなインク溜まりが発生するのを抑制することができる。また、インク吐出面Ｆに順次接触する２枚のワイパー３５ａ〜３５ｃを設ける場合（上記特許文献１の構成）と異なり、ワイパー３５ａ〜３５ｃの数が多くなるのを抑制することができるので、記録ヘッド１７ａ〜１７ｃの回復システムの構造が複雑になるのを抑制することができる。
【００６３】
また、ワイパー３５ａ〜３５ｃの上面３５ｆには、凸部Ｃが形成されており、第１上端部３５ｇと凸部Ｃとの間には、第１上端部３５ｇ側から第２上端部３５ｈ側に向かって高くなる第１段差部Ｌ１が形成されている。これにより、第１上端部３５ｇ側から第２上端部３５ｈ側にインク２２が移動するのを第１段差部Ｌ１によって抑制することができるので、第１拭き取り面３５ｄで拭き取ったインク２２が第２上端部３５ｈに付着するのを抑制することができる。このため、第２拭き取り動作の開始時に第２上端部３５ｈのインク２２が引き延ばされてインク吐出面Ｆに付着するのを抑制することができる。なお、第２上端部３５ｈにインク２２が少量だけ付着している場合、第２拭き取り動作を実行すると、インク２２が引き延ばされてインク吐出面Ｆに付着し、拭き残しが生じてしまう。
【００６４】
また、ワイパー３５ａ〜３５ｃの上面３５ｆに第１段差部Ｌ１を形成することによって、第１拭き取り動作後の離間動作時にワイパー３５ａ〜３５ｃの上面３５ｆやインク吐出面Ｆに付着するインク２２の量を低減することができる。
【００６５】
また、上記のように、第１段差部Ｌ１は、第１拭き取り動作においてワイパー３５ａ〜３５ｃが矢印Ａ方向（左方向）に移動する際にインク吐出面Ｆに接触しない。これにより、第１上端部３５ｇのみがインク吐出面Ｆに接触することになるので、第１上端部３５ｇのインク吐出面Ｆに対する接触圧が変化するのを抑制することができる。
【００６６】
また、上記のように、上面３５ｆには、凸部Ｃと第２上端部３５ｈとの間に、第１上端部３５ｇ側から第２上端部３５ｈ側に向かって低くなる第２段差部Ｌ２が形成されている。これにより、第２上端部３５ｈ側から第１上端部３５ｇ側にインク２２が移動するのを第２段差部Ｌ２によって抑制することができる。このため、第２拭き取り動作後の離間動作時にワイパー３５ａ〜３５ｃの上面３５ｆやインク吐出面Ｆに付着するインク２２の量を低減することができる。
【００６７】
また、上記のように、第２段差部Ｌ２は、第２拭き取り動作においてワイパー３５ａ〜３５ｃが矢印Ａ′方向（右方向）に移動する際にインク吐出面Ｆに接触しない。これにより、第２上端部３５ｈのみがインク吐出面Ｆに接触することになるので、第２上端部３５ｈのインク吐出面Ｆに対する接触圧が変化するのを抑制することができる。
【００６８】
また、上記のように、第２拭き取り動作において、ワイパー３５ａ〜３５ｃを矢印Ａ′方向（右方向）に移動させることによって、ワイパー３５ａ〜３５ｃは第２インク押出動作時に押出されたパージインク２２ｃを拭き取った後で第１位置Ｐ１の残留インク２２ａを拭き取ることになる。これにより、ワイパー３５ａ〜３５ｃが残留インク２２ａを拭き取る際に、増粘していないパージインク２２ｃが、長時間大気にさらされて増粘した残留インク２２ａに接触するので、残留インク２２ａがパージインク２２ｃに溶解して残留インク２２ａの増粘が緩和される。このため、第２拭き取り動作において、インク吐出面Ｆに付着した残留インク２２ａをワイパー３５ａ〜３５ｃにより、拭き取り易くすることができる。
【００６９】
また、上記のように、第１拭き取り動作の実行後、ワイパー３５ａ〜３５ｃをインク吐出面Ｆから離間させる離間動作を実行する。これにより、離間動作によってワイパー３５ａ〜３５ｃの撓み（変形）を一旦解消することができるので、第２拭き取り動作時に容易にワイパー３５ａ〜３５ｃの第２拭き取り面３５ｅの第２上端部３５ｈをインク吐出面Ｆに圧接させることができる。
【００７０】
（第２実施形態）
次に、図３２および図３３を参照して、本発明の第２実施形態のインクジェット記録装置１００に用いられるワイパー３５ａ〜３５ｃについて説明する。
【００７１】
本発明の第２実施形態では図３２および図３３に示すように、ワイパー３５ａ〜３５ｃの各々は上記第１実施形態と同様、第１拭き取り面３５ｄと、第２拭き取り面３５ｅと、上面３５ｆと、を含んでいる。
【００７２】
上面３５ｆには、側面視矩形状の凸部Ｃが形成されている。第２実施形態では、凸部Ｃは、第２拭き取り面３５ｅと面一に形成されており、第１上端部３５ｇと凸部Ｃとの間には、第１上端部３５ｇ側から第２上端部３５ｈ側に向かって高くなる第１段差部Ｌ１が形成されている。なお、凸部Ｃ（第１段差部Ｌ１）は、第１拭き取り動作においてワイパー３５ａ〜３５ｃが矢印Ａ方向に移動する際にインク吐出面Ｆに接触しない。
【００７３】
例えば、ワイパー３５ａ〜３５ｃは、矢印Ａ方向から見て約２．５ｍｍの幅を有し、断面視で約１．５ｍｍの幅（第１拭き取り面３５ｄと第２拭き取り面３５ｅとの距離）を有するように形成されている。また、凸部Ｃは、断面視で約０．５ｍｍ角に形成されている。すなわち、第１上端部３５ｇと第１段差部Ｌ１との距離は約１．０ｍｍであり、第１段差部Ｌ１の段差は約０．５ｍｍである。
【００７４】
第２実施形態のその他の構造、及び記録ヘッド１７ａ〜１７ｃの回復動作は、上記第１実施形態と同様である。
【００７５】
本実施形態では、上記のように、ワイパー３５ａ〜３５ｃの凸部Ｃは、第２拭き取り面３５ｅと面一に形成されている。この場合であっても、第１上端部３５ｇ側から第２上端部３５ｈ側にインク２２が移動するのを第１段差部Ｌ１によって抑制することができるので、第１拭き取り面３５ｄで拭き取ったインク２２が第２上端部３５ｈに付着するのを抑制することができる。また、第１拭き取り動作後の離間動作時にワイパー３５ａ〜３５ｃの上面３５ｆやインク吐出面Ｆに付着するインク２２の量を低減することができる。
【００７６】
第２実施形態のその他の効果は、上記第１実施形態と同様である。
【００７７】
（第３実施形態）
次に、図３４を参照して、本発明の第３実施形態のインクジェット記録装置１００について説明する。
【００７８】
本発明の第３実施形態ではインクジェット記録装置１００は図３４に示すように、ワイパー３５ａ〜３５ｃの上面３５ｆを清掃するクリーニング機構７０を備えている。クリーニング機構７０は、ワイパー３５ａ〜３５ｃの上面３５ｆに付着したインク２２が転写される繊維ウェブなどからなるクリーニング部材７１と、クリーニング部材７１が巻装された送出しローラー７２と、送出しローラー７２から送り出されたクリーニング部材７１を巻き取る巻取りローラー７３と、を含む。
【００７９】
また、第３実施形態では、記録ヘッド１７ａ〜１７ｃの回復動作の第２拭き取り動作の実行後に、ワイパー３５ａ〜３５ｃの上面３５ｆをクリーニング部材７１に対して複数回接離させることによって、ワイパー３５ａ〜３５ｃの上面３５ｆのインク２２をクリーニング部材７１に吸収させる。なお、クリーニング部材７１の吸収力が低下した場合は、巻取りローラー７３を回転させてクリーニング部材７１の清浄な転写面にワイパー３５ａ〜３５ｃの上面３５ｆを当接させることによって、クリーニング部材７１の吸収力を回復させることができ、ワイパー３５ａ〜３５ｃの上面３５ｆを十分に清掃することができる。
【００８０】
第３実施形態のその他の構造、及び記録ヘッド１７ａ〜１７ｃのその他の回復動作は、上記第１および第２実施形態と同様である。
【００８１】
本実施形態では、上記のように、ワイパー３５ａ〜３５ｃの上面３５ｆを清掃するクリーニング機構７０を設ける。これにより、ワイパー３５ａ〜３５ｃの上面３５ｆのインク２２を除去することができるので、次回の回復処理時にワイパー３５ａ〜３５ｃに付着したインク２２がインク吐出面Ｆに付着するのを抑制することができる。
【００８２】
第３実施形態のその他の効果は、上記第１および第２実施形態と同様である。
【００８３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８４】
例えば、上記実施形態では、第１インク押出動作を、第１拭き取り動作の前に実行したが、ワイパー３５ａ〜３５ｃがノズル領域Ｒに進入する前であれば、第１拭き取り動作と同時に実行してもよい。
【００８５】
また、上記実施形態では、第２インク押出動作を、離間動作の後に実行したが、離間動作の前に実行してもよいし、ワイパー３５ａ〜３５ｃがノズル領域Ｒに進入する前であれば、第２拭き取り動作と同時に実行してもよい。
【００８６】
また、例えば上記第１実施形態では、ワイパー３５ａ〜３５ｃの凸部Ｃ（第１段差部Ｌ１、第２段差部Ｌ２）を、第１拭き取り動作および第２拭き取り動作においてワイパー３５ａ〜３５ｃが矢印ＡＡ′方向に移動する際にインク吐出面Ｆに接触しないように形成した例について示したが、本発明はこれに限らない。例えば、第１拭き取り動作においてワイパー３５ａ〜３５ｃが矢印Ａ方向に移動する際に第１上端部３５ｇと凸部Ｃ（第１段差部Ｌ１）との両方がインク吐出面Ｆに接触するように、ワイパー３５ａ〜３５ｃを形成してもよい。また、第２拭き取り動作においてワイパー３５ａ〜３５ｃが矢印Ａ′方向に移動する際に第２上端部３５ｈと凸部Ｃ（第２段差部Ｌ２）との両方がインク吐出面Ｆに接触するように、ワイパー３５ａ〜３５ｃを形成してもよい。ただし、第１上端部３５ｇおよび第２上端部３５ｈのインク吐出面Ｆに対する接触圧が変化するのを抑制するためには、第１拭き取り動作および第２拭き取り動作においてワイパー３５ａ〜３５ｃが矢印ＡＡ′方向に移動する際にインク吐出面Ｆに接触しないように、ワイパー３５ａ〜３５ｃを形成することが好ましい。
【００８７】
また、駆動機構（ラック歯３８、入力ギア４３）や昇降機構５０は、従来公知の他の駆動機構や昇降機構を用いることができる。記録ヘッド１７ａ〜１７ｃの吐出ノズル１８の個数やノズル間隔等もインクジェット記録装置１００の仕様に応じて適宜設定することができる。また、記録ヘッドの数も特に限定されるものではなく、例えば各ラインヘッド１１Ｃ〜１１Ｋにつき記録ヘッド１７を１個、２個、或いは４個以上配置することもできる。
【００８８】
また、本発明は、ラインヘッド１１Ｃ〜１１Ｋのうちいずれか１つのみを備えた単色印刷用のインクジェット記録装置にも適用できる。その場合、記録ヘッド１７ａ〜１７ｃは１つずつ設けられるため、記録ヘッド１７ａ〜１７ｃに対応するワイパー３５ａ〜３５ｃもキャリッジ３１に１枚ずつ固定すれば良い。
【符号の説明】
【００８９】
１７ａ〜１７ｃ  記録ヘッド
１８  吐出ノズル
２２  インク
２２ｂ、２２ｃ  パージインク
３５ａ〜３５ｃ  ワイパー
３５ｄ  第１拭き取り面
３５ｅ  第２拭き取り面
３５ｆ  上面
３５ｇ  第１上端部
３５ｈ  第２上端部
３８  ラック歯（駆動機構）
４３  入力ギア（駆動機構）
１００  インクジェット記録装置
１１０  制御部
Ｃ  凸部
Ｆ  インク吐出面
Ｌ１  第１段差部
Ｌ２  第２段差部
Ｐ１  第１位置
Ｐ２  第２位置
Ｒ  ノズル領域
Ｓ  用紙（記録媒体）
【図１】
0006332020.tif 000002
【図２】
0006332020.tif 000003
【図３】
0006332020.tif 000004
【図４】
0006332020.tif 000005
【図５】
0006332020.tif 000006
【図６】
0006332020.tif 000007
【図７】
0006332020.tif 000008
【図８】
0006332020.tif 000009
【図９】
0006332020.tif 000010
【図１０】
0006332020.tif 000011
【図１１】
0006332020.tif 000012
【図１２】
0006332020.tif 000013
【図１３】
0006332020.tif 000014
【図１４】
0006332020.tif 000015
【図１５】
0006332020.tif 000016
【図１６】
0006332020.tif 000017
【図１７】
0006332020.tif 000018
【図１８】
0006332020.tif 000019
【図１９】
0006332020.tif 000020
【図２０】
0006332020.tif 000021
【図２１】
0006332020.tif 000022
【図２２】
0006332020.tif 000023
【図２３】
0006332020.tif 000024
【図２４】
0006332020.tif 000025
【図２５】
0006332020.tif 000026
【図２６】
0006332020.tif 000027
【図２７】
0006332020.tif 000028
【図２８】
0006332020.tif 000029
【図２９】
0006332020.tif 000030
【図３０】
0006332020.tif 000031
【図３１】
0006332020.tif 000032
【図３２】
0006332020.tif 000033
【図３３】
0006332020.tif 000034
【図３４】
0006332020.tif 000035
【図３５Ａ】
0006332020.tif 000036
【図３５Ｂ】
0006332020.tif 000037
【図３５Ｃ】
0006332020.tif 000038
【図３５Ｄ】
0006332020.tif 000039
【図３６Ａ】
0006332020.tif 000040
【図３６Ｂ】
0006332020.tif 000041
【図３６Ｃ】
0006332020.tif 000042